(57)【要約】      （修正有）【課題】使用者が目立ちやすくなる太陽エネルギー安全警告装置を提供する。【解決手段】帽子体に取り付けられるとともに、コントローラー本体１と、少なくとも一つの太陽エネルギー板２と、少なくとも一つの表示機器３とからなる。コントローラー本体は、外部電源を受け取るとともに、電源信号及び文字信号を出力する。太陽エネルギー板には伝送コード３１が連結され、その伝送コード他端はコントローラー本体に連結され、太陽エネルギー板から生じた電源は伝送コードを経由してコントローラー本体に伝送される。表示機器には伝送コードが連結され、その伝送コード他端はコントローラー本体に連結され、コントローラー本体によって出力された電源信号と文字信号は、伝送コードを経由して表示機器に伝送される。コントローラー本体は帽子体内部に設けられ、太陽エネルギー板と表示機器は帽子体外部に設けられて露出する。【選択図】図１
0003181631.tif 000002
【実用新案登録請求の範囲】
【請求項１】
帽子体に取り付けられる太陽エネルギー安全警告装置であって、
前記太陽エネルギー安全警告装置は、コントローラー本体と、少なくとも一つの太陽エネルギー板と、少なくとも一つの表示機器と、からなり、
前記コントローラー本体は、少なくとも一つの外部電源を受け取るとともに、電源信号及び文字信号を出力し、前記コントローラー本体には、少なくとも一つの文字入力キーが設けられ、
前記少なくとも一つの太陽エネルギー板には、伝送コードが連結され、その伝送コード他端は前記コントローラー本体に連結され、前記太陽エネルギー板から生じた電源は前記太陽エネルギー板の伝送コードを経由して前記コントローラー本体に伝送され、
前記少なくとも一つの表示機器には、伝送コードが連結され、その伝送コード他端は、前記コントローラー本体に連結され、前記コントローラー本体によって出力された電源信号と文字信号は、前記表示機器の伝送コードを経由して前記表示機器に伝送され、
前記コントローラー本体は前記帽子体内部に設けられ、前記太陽エネルギー板と前記表示機器は前記帽子体外部に設けられて露出することを特徴とする、太陽エネルギー安全警告装置。
【請求項２】
前記コントローラー本体の外部には、スイッチと、少なくとも一つの文字入力キーと、電源接続ポートとが設けられ、前記コントローラー本体内部には、制御回路と少なくとも一つの蓄電池が設けられ、前記スイッチと、文字入力キーと、電源接続ポートと、蓄電池とは、それぞれ、制御回路に電気的に接続されることを特徴とする、請求項１に記載の太陽エネルギー安全警告装置。
【請求項３】
前記電源接続ポートは、電源伝送コードを更に備え、前記電源伝送コードの一端には接続コネクタが設けられ、他端には電源プラグが設けられ、前記接続コネクタは前記コントローラー本体の電源接続ポートに連結され、前記電源プラグは、外部に予め設けられている室内電源コンセントに連結されることを特徴とする、請求項２に記載の太陽エネルギー安全警告装置。
【請求項４】
前記太陽エネルギー板は、前記帽子体頂部に設けられ、前記表示機器は、前記帽子体後端に設けられることを特徴とする、請求項１に記載の太陽エネルギー安全警告装置。
【請求項５】
前記表示機器は、ＬＥＤアレイであることを特徴とする、請求項１に記載の太陽エネルギー安全警告装置。
【請求項６】
前記表示機器は、液晶パネルであることを特徴とする、請求項１に記載の太陽エネルギー安全警告装置。
【考案の詳細な説明】
【技術分野】
【０００１】
本考案は太陽エネルギー安全警告装置に関し、特に帽子体上に設けられ、使用者が帽子体を被ると使用者が目立ちやすくなる、太陽エネルギー安全警告装置に関する。
【背景技術】
【０００２】
現在のバイクは、車体が小さいため、バイク車体のテールに小型テールランプを設けることしかできず、自動車のように車体の左、右のテールにそれぞれ大型テールランプを設けるといったことはできない。自動車の場合、車体のテールに更に第三のブレーキランプや警告ランプを設けることもでき、それにより、自動車のテールが目立ちやすくなり、自動車の運転の安全性を更に向上させることができる。しかしながら、現在の一般的なバイク車体のテールには小型テールランプしか設けることはできないため、バイクを夜間運転する時は、バイクのテールが目立ちにくくなる。また、自転車は車体が小さいため、バイクに設けられるようなテールランプを設けることができず、自転車で夜間運転する時に、自行車のテールには完全に警告メカニズムが設けられていない状態になる。従って、バイクや自転車を夜間運転する場合、後方から来た車に追突される確率が大幅に高くなる。
【考案の概要】
【考案が解決しようとする課題】
【０００３】
そこで、本考案は、使用者が目立ちやすくなる太陽エネルギー安全警告装置を提供することを目的とする。
【課題を解決するための手段】
【０００４】
本考案による太陽エネルギー安全警告装置は、帽子体に取り付けられるとともに、コントローラー本体と、少なくとも一つの太陽エネルギー板と、少なくとも一つの表示機器と、からなる。前記コントローラー本体は、少なくとも一つの外部電源を受け取るとともに、電源信号及び文字信号を出力する。前記太陽エネルギー板には、伝送コードが連結され、その伝送コード他端は前記コントローラー本体に連結され、前記太陽エネルギー板から生じた電源は前記太陽エネルギー板の伝送コードを経由して前記コントローラー本体に伝送される。前記表示機器には、伝送コードが連結され、その伝送コード他端は、前記コントローラー本体に連結され、前記コントローラー本体によって出力された電源信号と文字信号は、前記表示機器の伝送コードを経由して前記表示機器に伝送される。前記コントローラー本体は前記帽子体内部に設けられ、前記太陽エネルギー板と前記表示機器は前記帽子体外部に設けられて露出する。
【考案の効果】
【０００５】
以上の構造により、太陽エネルギー板から生じる電源をコントローラー本体に供給することができ、さらに、コントローラー本体によって電源信号と文字信号が表示機器へ出力され、表示機器により文字信号（例えば、警告文字や宣伝文字）が表示される。そして、使用者が帽子体を被った際、表示機器が表示した文字信号により、使用者は目立ちやすくなる。
【図面の簡単な説明】
【０００６】
【図１】本考案の太陽エネルギー安全警告装置の実施例を示した説明図である。
【図２】本考案の太陽エネルギー安全警告装置の操作の実施例を示した説明図である。
【図３】本考案の太陽エネルギー安全警告装置のもう一つの操作の実施例を示した説明図である。
【図４】本考案の太陽エネルギー安全警告装置の応用実施例１を示した説明図である。
【図５】本考案の太陽エネルギー安全警告装置の応用実施例２を示した説明図である。
【図６】本考案の太陽エネルギー安全警告装置の応用実施例３を示した説明図である。
【考案を実施するための形態】
【０００７】
図１から図６に示すように、本考案による太陽エネルギー安全警告装置は、帽子体６に取り付けられる。また、太陽エネルギー安全警告装置は、コントローラー本体１と、少なくとも一つの太陽エネルギー板２と、少なくとも一つの表示機器３と、からなる。
【０００８】
コントローラー本体１は、少なくとも一つの外部電源を受け取るとともに、電源信号と文字信号を出力する。また、コントローラー本体１の外部には、スイッチ１１と、少なくとも一つの文字入力キー１２と、電源接続ポート１３とが設けられる。コントローラー本体１内部には、制御回路（図示せず）と、少なくとも一つの蓄電池１４とが設けられる。スイッチ１１と、文字入力キー１２と、電源接続ポート１３と、蓄電池１４は、それぞれ、制御回路に電気的に接続され、それにより、文字入力キー１２を押すことで、コントローラー本体１が、様々な文字信号を生じさせ出力する。
【０００９】
太陽エネルギー板２には、伝送コード２１が連結され、伝送コード２１の他端はコントローラー本体１に連結され、太陽エネルギー板２から生じた電源は、太陽エネルギー板２の伝送コード２１を介してコントローラー本体１に伝送される。また、本考案の一実施形態では、太陽エネルギー板２の伝送コード２１は、コントローラー本体１の制御回路に連結され、制御回路によって外部電源は蓄電池１４に伝送されて蓄電が行われる。
【００１０】
表示機器３には伝送コード３１が連結され、伝送コードの他端はコントローラー本体１に連結され、それにより、コントローラー本体１が電源信号と文字信号を出力すると、表示機器３の伝送コード３１を経由して表示機器３に伝送される。また、本考案の一実施形態では、表示機器３の伝送コード３１は、コントローラー本体１の制御回路に連結され、制御回路によって電源信号と文字信号が表示機器３に伝送され、電源信号によって表示機器３に電力が供給されるとともに、表示機器３は文字信号をもとに文字を表示する。なお、表示機器３は、ＬＥＤアレイ或いは液晶パネル等である。
【００１１】
太陽エネルギー板２によって生じた電源は、コントローラー本体１に伝送され供給され、さらに、コントローラー本体１から出力された電源信号と文字信号が表示機器３に送られ、表示機器３によって文字信号（例えば、警告文字或いは宣伝文字）が表示される（図２に図示）。なお、文字入力キー１２を押すことによって、コントローラー本体１は様々な文字信号を生じさせ出力することができる。
【００１２】
また、本考案の太陽エネルギー安全警告装置は電源伝送コード４を備え、コントローラー本体１は、電源伝送コード４を介して住宅用の電源に連結される。電源伝送コード４の一端には接続コネクタ４１が設けられ、その他端には電源プラグ４２が設けられ、接続コネクタ４１はコントローラー本体１の電源接続ポート１３に連結され、電源プラグ４２は室内の室内電源コンセント５に連結され、電源接続ポート１３はコントローラー本体１の制御回路に連結される。制御回路によって外部電源（住宅用の電源）を蓄電池１４に伝送して蓄電を行い、さらに、コントローラー本体１によって電源信号及び文字信号を表示機器３へ出力し、表示機器３によって文字信号（例えば、警告文字或いは宣伝文字）を表示する（図３に図示）。
【００１３】
また、コントローラー本体１は帽子体６内部に設けられ、太陽エネルギー板２及び表示機器３は帽子体６の外部に設けられて露出する。なお、図４と図５に示すように、帽子体６は異なる型式（例えば、半ヘル式帽子体或いはフルフェイス式帽子体）にすることができ、太陽エネルギー板２は帽子体６頂部に設けられ、表示機器３は帽子体６後端に設けられる。それにより、太陽エネルギー板２から生じた電源はコントローラー本体１に送られて電源が供給され、さらに、コントローラー本体１によって電源信号と文字信号が出力されて表示機器３に送られ、表示機器３によって文字信号（例えば、警告文字或いは宣伝文字）が表示される。使用者７が帽子体６を被った時（図６に図示）、表示機器３に表示された文字信号により、使用者７は目立ちやすくなる。そして、使用者７がバイクや自転車を夜間に運転した時、後方の車両８から追突される確率を大幅に下げることができ、使用者７がバイクや自転車に乗るときの安全性を高めることができる。
【符号の説明】
【００１４】
１      コントローラー本体
１１    スイッチ
１２    文字入力キー
１３    電源接続ポート
１４    蓄電池
２      太陽エネルギー板
２１    伝送コード
３      表示機器
３１    伝送コード
４      電源伝送コード
４１    接続コネクタ
４２    電源プラグ
５      室内電源コンセント
６      帽子体
７      使用者
８      車両
【図１】
0003181631.tif 000003
【図２】
0003181631.tif 000004
【図３】
0003181631.tif 000005
【図４】
0003181631.tif 000006
【図５】
0003181631.tif 000007
【図６】
0003181631.tif 000008